(57)【特許請求の範囲】
【請求項１】
カラー映像信号を磁気記録媒体に記録するカラービデオ信号記録方法において、
前記カラー映像信号を構成するクロマ信号の振幅レベルを補正するクロマ信号補正工程と、
前記クロマ信号補正工程によって振幅レベルを補正したクロマ信号を色副搬送波周波数よりも低域である低域周波数に変換する低域周波数変換工程と、
前記カラー映像信号を構成する輝度信号をＦＭ変調するＦＭ変調工程と、
前記ＦＭ変調工程によってＦＭ変調した輝度信号と前記低域周波数変換工程によって低域周波数に変換したクロマ信号とを混合する混合工程と、
前記混合工程によって混合した前記輝度信号と前記クロマ信号とを前記磁気記録媒体に記録する記録工程とを含み、
前記クロマ信号補正工程は、
前記低域周波数変換工程によって前記クロマ信号を低域周波数に変換する前の第１のクロマ信号を色副搬送波周波数の整数倍の周波数のクロックでサンプリングして得たサイン波の第１の信号波形を形成する複数のサンプルデータにおける個々のサンプルデータの振幅レベルと、前記記録工程によって前記クロマ信号を前記磁気記録媒体に記録して再生した後の第２のクロマ信号を前記クロックでサンプリングして得たサイン波の第２の信号波形を形成する複数のサンプルデータにおける個々のサンプルデータの振幅レベルとのレベル誤差が予め求められており、
記憶手段に前記第１のクロマ信号における隣接する２つのサンプルデータを順次入力し、入力された隣接する２つのサンプルデータの振幅レベルをｙ０，ｙ１とし、振幅レベルｙ０を有するサンプルデータの前記レベル誤差を補償する振幅レベルをｙ０′、前記レベル誤差を補償する前記第２の信号波形のピーク−ピーク値をＡ′としたとき、前記記憶手段より、ｙ０′＝Ａ′／[２（ｙ０2＋ｙ１2）1/2]なる計算式に基づいて振幅レベルｙ０′を有する補正サンプルデータを出力させることにより、前記第１のクロマ信号の前記第１の信号波形を形成する複数のサンプルデータの個々のサンプルデータをサンプルデータ単位で補正サンプルデータに置き換えることを特徴とするカラービデオ信号記録方法。
【請求項２】
前記クロマ信号補正工程は、前記クロマ信号のバースト信号の振幅レベルを補正せず、前記バースト信号以外の部分の前記個々のサンプルデータを前記補正サンプルデータに置き換えることを特徴とする請求項１記載のカラービデオ信号記録方法。
【請求項３】
カラー映像信号を磁気記録媒体に記録するカラービデオ信号記録方法において、
前記カラー映像信号を構成するクロマ信号を色副搬送波周波数よりも低域である低域周波数に変換する低域周波数変換工程と、
前記低域周波数変換工程によって低域周波数に変換したクロマ信号の振幅レベルを補正するクロマ信号補正工程と、
前記カラー映像信号を構成する輝度信号をＦＭ変調するＦＭ変調工程と、
前記ＦＭ変調工程によってＦＭ変調した輝度信号と前記クロマ信号補正工程によって振幅レベルを補正したクロマ信号とを混合する混合工程と、
前記混合工程によって混合した前記輝度信号と前記クロマ信号とを前記磁気記録媒体に記録する記録工程とを含み、
前記クロマ信号補正工程は、
前記低域周波数変換工程によって前記クロマ信号を低域周波数に変換する前の第１のクロマ信号を色副搬送波周波数の整数倍の周波数のクロックでサンプリングして得たサイン波の第１の信号波形を形成する複数のサンプルデータにおける個々のサンプルデータの振幅レベルと、前記記録工程によって前記クロマ信号を前記磁気記録媒体に記録して再生した後の第２のクロマ信号を前記クロックでサンプリングして得たサイン波の第２の信号波形を形成する複数のサンプルデータにおける個々のサンプルデータの振幅レベルとのレベル誤差が予め求められており、
記憶手段に前記第１のクロマ信号における隣接する２つのサンプルデータを順次入力し、入力された隣接する２つのサンプルデータの振幅レベルをｙ０，ｙ１とし、振幅レベルｙ０を有するサンプルデータの前記レベル誤差を補償する振幅レベルをｙ０′、前記レベル誤差を補償する前記第２の信号波形のピーク−ピーク値をＡ′としたとき、前記記憶手段より、ｙ０′＝Ａ′／[２（ｙ０2＋ｙ１2）1/2]なる計算式に基づいて振幅レベルｙ０′を有する補正サンプルデータを出力させることにより、前記第１のクロマ信号の前記第１の信号波形を形成する複数のサンプルデータの個々のサンプルデータをサンプルデータ単位で補正サンプルデータに置き換えることを特徴とするカラービデオ信号記録方法。
【請求項４】
前記クロマ信号補正工程は、前記クロマ信号のバースト信号の振幅レベルを補正せず、前記バースト信号以外の部分の前記個々のサンプルデータを前記補正サンプルデータに置き換えることを特徴とする請求項３記載のカラービデオ信号記録方法。
【請求項５】
ビデオソフトのダビングシステムにおいて、
ダビングの対象となっているカラー映像信号を構成するクロマ信号の振幅レベルを補正するクロマレベル補正回路と、
前記クロマレベル補正回路によって振幅レベルを補正したクロマ信号を色副搬送波周波数よりも低域である低域周波数に変換するクロマ信号処理回路と、
前記カラー映像信号を構成する輝度信号をＦＭ変調する輝度信号処理回路と、
前記輝度信号処理回路によってＦＭ変調した輝度信号と前記クロマ信号処理回路によって低域周波数に変換したクロマ信号とを混合する混合回路と、
前記混合回路によって混合した前記輝度信号と前記クロマ信号とを磁気テープに記録する記録手段とを備え、
前記クロマレベル補正回路は、
前記クロマ信号処理回路によって前記クロマ信号を低域周波数に変換する前の第１のクロマ信号を色副搬送波周波数の整数倍の周波数のクロックでサンプリングして得たサイン波の第１の信号波形を形成する複数のサンプルデータにおける個々のサンプルデータの振幅レベルと、前記記録手段によって前記クロマ信号を前記磁気テープに記録して再生した後の第２のクロマ信号を前記クロックでサンプリングして得たサイン波の第２の信号波形を形成する複数のサンプルデータにおける個々のサンプルデータの振幅レベルとのレベル誤差が予め求められており、
補正サンプルデータ発生器を有し、
前記補正サンプルデータ発生器に前記第１のクロマ信号における隣接する２つのサンプルデータを順次入力し、入力された隣接する２つのサンプルデータの振幅レベルをｙ０，ｙ１とし、振幅レベルｙ０を有するサンプルデータの前記レベル誤差を補償する振幅レベルをｙ０′、前記レベル誤差を補償する前記第２の信号波形のピーク−ピーク値をＡ′としたとき、前記補正サンプルデータ発生器より、ｙ０′＝Ａ′／[２（ｙ０2＋ｙ１2）1/2]なる計算式に基づいて振幅レベルｙ０′を有する補正サンプルデータを出力させることにより、前記第１のクロマ信号の前記第１の信号波形を形成する複数のサンプルデータの個々のサンプルデータをサンプルデータ単位で補正サンプルデータに置き換えることを特徴とするダビングシステム。
【請求項６】
前記補正サンプルデータ発生器は、入力される隣接する２つのサンプルデータの振幅レベルに応じて前記補正サンプルデータを出力するプログラムを格納したメモリを備えることを特徴とする請求項５記載のダビングシステム。
【請求項７】
ビデオソフトのダビングシステムにおいて、
ダビングの対象となっているカラー映像信号を構成するクロマ信号を色副搬送波周波数よりも低域である低域周波数に変換するクロマ信号処理回路と、
前記クロマ信号処理回路によって低域周波数に変換したクロマ信号の振幅レベルを補正するクロマレベル補正回路と、
前記カラー映像信号を構成する輝度信号をＦＭ変調する輝度信号処理回路と、
前記輝度信号処理回路によってＦＭ変調した輝度信号と前記クロマレベル補正回路によって振幅レベルを補正したクロマ信号とを混合する混合回路と、
前記混合回路によって混合した前記輝度信号と前記クロマ信号とを磁気テープに記録する記録手段とを備え、
前記クロマレベル補正回路は、
前記クロマ信号処理回路によって前記クロマ信号を低域周波数に変換する前の第１のクロマ信号を色副搬送波周波数の整数倍の周波数のクロックでサンプリングして得たサイン波の第１の信号波形を形成する複数のサンプルデータにおける個々のサンプルデータの振幅レベルと、前記記録手段によって前記クロマ信号を前記磁気テープに記録して再生した後の第２のクロマ信号を前記クロックでサンプリングして得たサイン波の第２の信号波形を形成する複数のサンプルデータにおける個々のサンプルデータの振幅レベルとのレベル誤差が予め求められており、
補正サンプルデータ発生器を有し、
前記補正サンプルデータ発生器に前記第１のクロマ信号における隣接する２つのサンプルデータを順次入力し、入力された隣接する２つのサンプルデータの振幅レベルをｙ０，ｙ１とし、振幅レベルｙ０を有するサンプルデータの前記レベル誤差を補償する振幅レベルをｙ０′、前記レベル誤差を補償する前記第２の信号波形のピーク−ピーク値をＡ′としたとき、前記補正サンプルデータ発生器より、ｙ０′＝Ａ′／[２（ｙ０2＋ｙ１2）1/2]なる計算式に基づいて振幅レベルｙ０′を有する補正サンプルデータを出力させることにより、前記第１のクロマ信号の前記第１の信号波形を形成する複数のサンプルデータの個々のサンプルデータをサンプルデータ単位で補正サンプルデータに置き換えることを特徴とするダビングシステム。
【請求項８】
前記補正サンプルデータ発生器は、入力される隣接する２つのサンプルデータの振幅レベルに応じて前記補正サンプルデータを出力するプログラムを格納したメモリを備えることを特徴とする請求項７記載のダビングシステム。
【発明の詳細な説明】
【０００１】
【発明の属する技術分野】
本発明は、カラー映像信号を輝度信号とクロマ信号とに分離し、輝度信号はＦＭ変調し、クロマ信号は低域周波数に変換した後、これらの輝度信号とクロマ信号とを混合して磁気記録媒体に記録するカラービデオ信号記録方法に関する。
【０００２】
【従来の技術】
一般に普及しているカラービデオ信号記録再生装置（ＶＴＲ）においては、ヘッドと磁気記録媒体（磁気テープ）との相対速度が遅いため、カラー映像信号に含まれる３．５８ＭＨｚのクロマ信号を磁気テープに直接記録することが困難である。
そこで、カラー映像信号を輝度信号とクロマ信号とに分離し、輝度信号はＦＭ変調し、クロマ信号は３．５８ＭＨｚの色副搬送波を低域周波数（６００〜７００ｋＨｚ付近）に変換した後、これらの輝度信号とクロマ信号とを混合して磁気テープに記録している。なお、ＶＨＳ（本出願人の登録商標）方式のＶＴＲの場合には、クロマ信号を６２９ｋＨｚに変換している。
【０００３】
ここで、従来の記録信号処理回路について図６を用いて説明する。図６において、入力された映像信号はＹ／Ｃ分離回路１に入力され、輝度信号とクロマ信号とに分離される。Ｙ／Ｃ分離回路１より出力された輝度信号は、輝度信号処理回路２に入力され、上記のようにＦＭ変調等の処理がなされる。輝度信号処理回路２の出力は混合回路４に入力される。
【０００４】
一方、Ｙ／Ｃ分離回路１より出力されたクロマ信号は、クロマ信号処理回路３に入力される。クロマ信号処理回路３は、ＡＣＣ（自動色制御）回路３１，バーストエンファシス回路３２，低域変換回路３３，ローパスフィルタ（ＬＰＦ）３４を備えて構成されている。
ＡＣＣ回路３１は、入力されたクロマ信号の振幅レベルを、バースト信号を基準として調整し、バーストエンファシス回路３２に入力する。バーストエンファシス回路３２は、バースト信号のレベルを上げ、低域変換回路３３に入力する。低域変換回路３３は、色副搬送波を低域周波数に変換して低域変換クロマ信号を生成する。この低域変換クロマ信号はＬＰＦ３４を介して混合回路４に入力される。
【０００５】
混合回路４は入力された輝度信号と低域変換クロマ信号とを混合する。そして、混合回路４の出力は図示していない磁気ヘッドによって図示していない磁気テープに記録される。
【０００６】
【発明が解決しようとする課題】
ところで、図６に示すクロマ信号処理回路３を経て記録されたクロマ信号を再生すると、この記録再生したクロマ信号の振幅レベルとクロマ信号処理回路３による信号処理前のクロマ信号の振幅レベルとの間には、クロマ信号処理回路３（特に低域変換回路３３）のレベル誤差や、ＦＭ信号と重畳して磁気記録することによる記録特性（大レベル域での飽和特性）等から、振幅レベルの誤差が存在する。この振幅レベルの誤差の程度はクロマ信号処理回路３によって一定ではない。
【０００７】
図７には、あるＶＴＲによる入力レベルに対する記録再生レベルの特性を示している。ＶＴＲの記録再生特性は、一般的に、この図７に示すように、小さいレベル部分ではリニアであり、大きいレベル部分では徐々に減衰して飽和するような特性となる。このような特性を有するＶＴＲに、図９（Ａ）に示すような標準的なカラーバー信号を入力して記録すると、再生される信号波形は、一例として図９（Ｂ）に示すカラーバー信号となる。
図９（Ａ），（Ｂ）を比較すれば分かるように、例えば入力信号における最大レベルであるシアン及び赤の振幅レベルは、８８ＩＲＥ（ｐ−ｐ）であったものが、記録再生信号では、シアン及び赤の振幅レベルは、８２ＩＲＥ（ｐ−ｐ）となり、振幅レベルが小さくなってしまう。なお、ｐ−ｐはピーク−ピークである。
【０００８】
通常、再生色レベルの基準レベルはＶＴＲによって異なるが、図９（Ｂ）のように記録再生されたものを、例えば８８ＩＲＥ（ｐ−ｐ）を基準として再生系でレベル調整すると、図９（Ｃ）に示すカラーバー信号となる。ここでは、８８ＩＲＥ（ｐ−ｐ）を基準としているので、シアン及び赤の振幅レベルは、入力信号と同じレベルに補正されるが、他の色のレベルは入力信号の本来のレベルとはならず、異なったレベルに補正されてしまう。これは、入力信号であるクロマ信号の振幅レベルと記録再生したクロマ信号の振幅レベルとの振幅レベルの誤差が、色によって異なり、ノンリニアな特性であることによる。
【０００９】
さらには、再生系で基準とするレベルの減衰を見込んで、予め記録系でリニアにレベルを上げて記録することも考えられる。例えば、入力レベルを単純に約１１％持ち上げたときの記録再生特性を図８に示し、この図８に示す記録再生特性を持たせたＶＴＲによって記録再生したカラーバー信号を図９（Ｄ）に示す。
この場合も、基準レベルであるシアン及び赤の振幅レベルは、図９（Ａ）に示す入力信号と同じレベルに補正されるが、他の色のレベルは入力信号の本来のレベルとはならず、異なったレベルに補正されてしまう。
【００１０】
このように、従来においては、クロマ信号に対し、再生系もしくは記録系でリニアなレベル調整を行うだけであったので、入力された映像信号におけるクロマ信号の振幅レベルを忠実に再現することができないという問題点があった。
本発明はこのような問題点に鑑みなされたものであり、入力された映像信号におけるクロマ信号の振幅レベルを忠実に再現することができるカラービデオ信号記録方法を提供することを目的とする。
【００１１】
【課題を解決するための手段】
本発明は、上述した従来の技術の課題を解決するため、以下のカラービデオ信号記録方法及びダビングシステムを提供する。
（Ａ）カラー映像信号を磁気記録媒体に記録するカラービデオ信号記録方法において、前記カラー映像信号を構成するクロマ信号の振幅レベルを補正するクロマ信号補正工程と、前記クロマ信号補正工程によって振幅レベルを補正したクロマ信号を色副搬送波周波数よりも低域である低域周波数に変換する低域周波数変換工程と、前記カラー映像信号を構成する輝度信号をＦＭ変調するＦＭ変調工程と、前記ＦＭ変調工程によってＦＭ変調した輝度信号と前記低域周波数変換工程によって低域周波数に変換したクロマ信号とを混合する混合工程と、前記混合工程によって混合した前記輝度信号と前記クロマ信号とを前記磁気記録媒体に記録する記録工程とを含み、前記クロマ信号補正工程は、前記低域周波数変換工程によって前記クロマ信号を低域周波数に変換する前の第１のクロマ信号を色副搬送波周波数の整数倍の周波数のクロックでサンプリングして得たサイン波の第１の信号波形を形成する複数のサンプルデータにおける個々のサンプルデータの振幅レベルと、前記記録工程によって前記クロマ信号を前記磁気記録媒体に記録して再生した後の第２のクロマ信号を前記クロックでサンプリングして得たサイン波の第２の信号波形を形成する複数のサンプルデータにおける個々のサンプルデータの振幅レベルとのレベル誤差が予め求められており、記憶手段に前記第１のクロマ信号における隣接する２つのサンプルデータを順次入力し、入力された隣接する２つのサンプルデータの振幅レベルをｙ０，ｙ１とし、振幅レベルｙ０を有するサンプルデータの前記レベル誤差を補償する振幅レベルをｙ０′、前記レベル誤差を補償する前記第２の信号波形のピーク−ピーク値をＡ′としたとき、前記記憶手段より、ｙ０′＝Ａ′／[２（ｙ０2＋ｙ１2）1/2]なる計算式に基づいて振幅レベルｙ０′を有する補正サンプルデータを出力させることにより、前記第１のクロマ信号の前記第１の信号波形を形成する複数のサンプルデータの個々のサンプルデータをサンプルデータ単位で補正サンプルデータに置き換えることを特徴とするカラービデオ信号記録方法。
ここで、前記クロマ信号補正工程は、前記クロマ信号のバースト信号の振幅レベルを補正せず、前記バースト信号以外の部分の前記個々のサンプルデータを前記補正サンプルデータに置き換えることが好ましい。
（Ｂ）カラー映像信号を磁気記録媒体に記録するカラービデオ信号記録方法において、前記カラー映像信号を構成するクロマ信号を色副搬送波周波数よりも低域である低域周波数に変換する低域周波数変換工程と、前記低域周波数変換工程によって低域周波数に変換したクロマ信号の振幅レベルを補正するクロマ信号補正工程と、前記カラー映像信号を構成する輝度信号をＦＭ変調するＦＭ変調工程と、前記ＦＭ変調工程によってＦＭ変調した輝度信号と前記クロマ信号補正工程によって振幅レベルを補正したクロマ信号とを混合する混合工程と、前記混合工程によって混合した前記輝度信号と前記クロマ信号とを前記磁気記録媒体に記録する記録工程とを含み、前記クロマ信号補正工程は、前記低域周波数変換工程によって前記クロマ信号を低域周波数に変換する前の第１のクロマ信号を色副搬送波周波数の整数倍の周波数のクロックでサンプリングして得たサイン波の第１の信号波形を形成する複数のサンプルデータにおける個々のサンプルデータの振幅レベルと、前記記録工程によって前記クロマ信号を前記磁気記録媒体に記録して再生した後の第２のクロマ信号を前記クロックでサンプリングして得たサイン波の第２の信号波形を形成する複数のサンプルデータにおける個々のサンプルデータの振幅レベルとのレベル誤差が予め求められており、記憶手段に前記第１のクロマ信号における隣接する２つのサンプルデータを順次入力し、入力された隣接する２つのサンプルデータの振幅レベルをｙ０，ｙ１とし、振幅レベルｙ０を有するサンプルデータの前記レベル誤差を補償する振幅レベルをｙ０′、前記レベル誤差を補償する前記第２の信号波形のピーク−ピーク値をＡ′としたとき、前記記憶手段より、ｙ０′＝Ａ′／[２（ｙ０2＋ｙ１2）1/2]なる計算式に基づいて振幅レベルｙ０′を有する補正サンプルデータを出力させることにより、前記第１のクロマ信号の前記第１の信号波形を形成する複数のサンプルデータの個々のサンプルデータをサンプルデータ単位で補正サンプルデータに置き換えることを特徴とするカラービデオ信号記録方法。
ここで、前記クロマ信号補正工程は、前記クロマ信号のバースト信号の振幅レベルを補正せず、前記バースト信号以外の部分の前記個々のサンプルデータを前記補正サンプルデータに置き換えることが好ましい。
（Ｃ）ビデオソフトのダビングシステムにおいて、ダビングの対象となっているカラー映像信号を構成するクロマ信号の振幅レベルを補正するクロマレベル補正回路（５）と、前記クロマレベル補正回路によって振幅レベルを補正したクロマ信号を色副搬送波周波数よりも低域である低域周波数に変換するクロマ信号処理回路（３）と、前記カラー映像信号を構成する輝度信号をＦＭ変調する輝度信号処理回路（２）と、前記輝度信号処理回路によってＦＭ変調した輝度信号と前記クロマ信号処理回路によって低域周波数に変換したクロマ信号とを混合する混合回路（４）と、前記混合回路によって混合した前記輝度信号と前記クロマ信号とを磁気テープに記録する記録手段とを備え、前記クロマレベル補正回路は、前記クロマ信号処理回路によって前記クロマ信号を低域周波数に変換する前の第１のクロマ信号を色副搬送波周波数の整数倍の周波数のクロックでサンプリングして得たサイン波の第１の信号波形を形成する複数のサンプルデータにおける個々のサンプルデータの振幅レベルと、前記記録手段によって前記クロマ信号を前記磁気テープに記録して再生した後の第２のクロマ信号を前記クロックでサンプリングして得たサイン波の第２の信号波形を形成する複数のサンプルデータにおける個々のサンプルデータの振幅レベルとのレベル誤差が予め求められており、補正サンプルデータ発生器を有し、前記補正サンプルデータ発生器に前記第１のクロマ信号における隣接する２つのサンプルデータを順次入力し、入力された隣接する２つのサンプルデータの振幅レベルをｙ０，ｙ１とし、振幅レベルｙ０を有するサンプルデータの前記レベル誤差を補償する振幅レベルをｙ０′、前記レベル誤差を補償する前記第２の信号波形のピーク−ピーク値をＡ′としたとき、前記補正サンプルデータ発生器より、ｙ０′＝Ａ′／[２（ｙ０2＋ｙ１2）1/2]なる計算式に基づいて振幅レベルｙ０′を有する補正サンプルデータを出力させることにより、前記第１のクロマ信号の前記第１の信号波形を形成する複数のサンプルデータの個々のサンプルデータをサンプルデータ単位で補正サンプルデータに置き換えることを特徴とするダビングシステム。
ここで、前記補正サンプルデータ発生器は、入力される隣接する２つのサンプルデータの振幅レベルに応じて前記補正サンプルデータを出力するプログラムを格納したメモリ（５３）を備えることが好ましい。
（Ｄ）ビデオソフトのダビングシステムにおいて、ダビングの対象となっているカラー映像信号を構成するクロマ信号を色副搬送波周波数よりも低域である低域周波数に変換するクロマ信号処理回路（３）と、前記クロマ信号処理回路によって低域周波数に変換したクロマ信号の振幅レベルを補正するクロマレベル補正回路（５）と、前記カラー映像信号を構成する輝度信号をＦＭ変調する輝度信号処理回路（２）と、前記輝度信号処理回路によってＦＭ変調した輝度信号と前記クロマレベル補正回路によって振幅レベルを補正したクロマ信号とを混合する混合回路（４）と、前記混合回路によって混合した前記輝度信号と前記クロマ信号とを磁気テープに記録する記録手段とを備え、前記クロマレベル補正回路は、前記クロマ信号処理回路によって前記クロマ信号を低域周波数に変換する前の第１のクロマ信号を色副搬送波周波数の整数倍の周波数のクロックでサンプリングして得たサイン波の第１の信号波形を形成する複数のサンプルデータにおける個々のサンプルデータの振幅レベルと、前記記録手段によって前記クロマ信号を前記磁気テープに記録して再生した後の第２のクロマ信号を前記クロックでサンプリングして得たサイン波の第２の信号波形を形成する複数のサンプルデータにおける個々のサンプルデータの振幅レベルとのレベル誤差が予め求められており、補正サンプルデータ発生器を有し、前記補正サンプルデータ発生器に前記第１のクロマ信号における隣接する２つのサンプルデータを順次入力し、入力された隣接する２つのサンプルデータの振幅レベルをｙ０，ｙ１とし、振幅レベルｙ０を有するサンプルデータの前記レベル誤差を補償する振幅レベルをｙ０′、前記レベル誤差を補償する前記第２の信号波形のピーク−ピーク値をＡ′としたとき、前記補正サンプルデータ発生器より、ｙ０′＝Ａ′／[２（ｙ０2＋ｙ１2）1/2]なる計算式に基づいて振幅レベルｙ０′を有する補正サンプルデータを出力させることにより、前記第１のクロマ信号の前記第１の信号波形を形成する複数のサンプルデータの個々のサンプルデータをサンプルデータ単位で補正サンプルデータに置き換えることを特徴とするダビングシステム。
ここで、前記補正サンプルデータ発生器は、入力される隣接する２つのサンプルデータの振幅レベルに応じて前記補正サンプルデータを出力するプログラムを格納したメモリ（５３）を備えることが好ましい。
【００１２】
【発明の実施の形態】
以下、本発明のカラービデオ信号記録方法について、添付図面を参照して説明する。図１は本発明のカラービデオ信号記録方法を実現する構成の一実施例を示すブロック図、図２は図１中のクロマレベル補正回路５の具体的構成の一例を示すブロック図、図３は本発明のカラービデオ信号記録方法を説明するための波形図、図４及び図５は本発明のカラービデオ信号記録方法を説明するための特性図である。図１において、図６と同一部分には同一符号が付してある。
【００１３】
図１において、入力された映像信号はＹ／Ｃ分離回路１に入力され、輝度信号とクロマ信号とに分離される。本実施例では、後述するクロマ信号のレベル補正の精度を高めるため、入力される映像信号を一例として８ビットのデジタル信号としている。従って、ここでのＹ／Ｃ分離回路１はデジタルＹ／Ｃ分離回路である。
Ｙ／Ｃ分離回路１より出力された輝度信号は、Ｄ／Ａ変換器６に入力されてアナログ信号とされる。Ｄ／Ａ変換器６より出力された輝度信号は、輝度信号処理回路２に入力され、図６と同様、ＦＭ変調等の処理がなされる。輝度信号処理回路２の出力は混合回路４に入力される。
【００１４】
一方、Ｙ／Ｃ分離回路１より出力されたクロマ信号は、本発明の要部であるクロマレベル補正回路５に入力され、振幅レベルが補正されて出力される。このクロマレベル補正回路５の詳細な構成及び動作は後に詳述する。
クロマレベル補正回路５より出力された補正後のクロマ信号は、Ｄ／Ａ変換器７に入力されてアナログ信号とされる。Ｄ／Ａ変換器７より出力されたクロマ信号は、クロマ信号処理回路３に入力される。クロマ信号処理回路３は、図６で説明したように、ＡＣＣ回路３１，バーストエンファシス回路３２，低域変換回路３３，ＬＰＦ３４を備えて構成されており、上述の如くクロマ信号を信号処理する。クロマ信号処理回路３の出力は混合回路４に入力される。
【００１５】
混合回路４は入力された輝度信号とクロマ信号処理回路３より出力された低域変換クロマ信号とを混合する。そして、混合回路４の出力は図示していない磁気ヘッドによって図示していない磁気テープに記録される。なお、輝度信号処理回路２，クロマ信号処理回路３，混合回路４は、記録信号処理回路８を構成している。
【００１６】
ここで、図２を用いてクロマレベル補正回路５の詳細な構成及び動作について説明する。クロマレベル補正回路５は、Ｄフリップフロップ（Ｄ−ＦＦ）５１及び５２、６４ｋ×８ビット構成のプログラム可能なＲＯＭ（Ｐ−ＲＯＭ）５３、インバータ５４、スリーステートのＤフリップフロップ（Ｄ−ＦＦ）５５及び５６を備えて構成されている。
Ｄ−ＦＦ５１，５２，５５，５６には、色副搬送波周波数の４倍の周波数のクロック（４Ｆｓｃクロック）が入力される。なお、図１においては、クロック入力の図示を省略している。勿論、ここで用いるクロックは、４Ｆｓｃクロックに限定されるものではない。
【００１７】
Ｄ−ＦＦ５１には、クロマ信号が入力データとして入力される。Ｄ−ＦＦ５１は４Ｆｓｃクロックの立ち上がりに同期して入力データを遅延し、Ｐ−ＲＯＭ５３のアドレス入力端子Ａ８〜Ａ１５に入力すると共に、Ｄ−ＦＦ５２に入力する。Ｄ−ＦＦ５２も４Ｆｓｃクロックの立ち上がりに同期して入力データを遅延し、Ｐ−ＲＯＭ５３のアドレス入力端子Ａ０〜Ａ７に入力すると共に、Ｄ−ＦＦ５５に入力する。
このように、Ｐ−ＲＯＭ５３には、４Ｆｓｃクロックでサンプリングされたクロマ信号の隣接する２サンプルのデータが順次入力されることになる。
【００１８】
Ｐ−ＲＯＭ５３は、後述するように、２サンプルのデータを基にしてクロマ信号の振幅レベルを順次補正し、出力端子Ｏ０〜Ｏ７より補正データを出力する。この補正データはＤ−ＦＦ５６に入力される。Ｄ−ＦＦ５５のイネーブル端子（ＥＮ）には、バーストゲート信号が入力され、Ｄ−ＦＦ５６のイネーブル端子（ＥＮ）には、バーストゲート信号がインバータ５４により反転されて入力される。従って、Ｄ−ＦＦ５５，５６のオン／オフは互いに逆となる。
これらのＤ−ＦＦ５５，５６及びインバータ５４によって、バースト信号以外の部分では、Ｐ−ＲＯＭ５３より出力された補正データがＤ−ＦＦ５６を介して出力され、バースト信号の部分では、Ｐ−ＲＯＭ５３によって補正していないＤ−ＦＦ５２の出力がＤ−ＦＦ５５を介して出力されることになる。
【００１９】
これは次の理由による。即ち、バースト信号のレベル（通常４０ＩＲＥ（ｐ−ｐ））を補正してしまうと、クロマ信号処理回路３中のＡＣＣ回路３１によって全体の振幅レベルが変わってしまうからである。なお、バースト信号が安定し、かつ、バースト信号のレベル値に近いレベルを補正しない場合は、バーストレベル値付近のレベルを補正しないようにＰ−ＲＯＭ５３を設定すれば、Ｄ−ＦＦ５５，５６及びインバータ５４よりなるバースト補正停止回路は必要ない。この場合には、クロマレベル補正回路５にはバーストゲート信号を入力する必要はない。
【００２０】
さらに、Ｐ−ＲＯＭ５３の動作について図３を用いて詳細に説明する。４Ｆｓｃクロックでサンプリングされた入力クロマ信号は、図３に実線で示すように、Ｆｓｃを中心周波数としたサイン波となる。２サンプルのデータの位相差はπ／２である。実線で示す入力クロマ信号のピークレベル値（ｐ−ｐ）をＡとすると、ピークレベル値Ａは隣接した２つのサンプルデータによって求めることができる。なお、１サンプルデータだけでは、位相と振幅の関係が分からず、ピークレベル値Ａを求めることができない。
【００２１】
データＳ０の０レベルからの振幅をｙ０、データＳ１の０レベルからの振幅をｙ１とすると、
Ａ／２＝（ｙ０2 ＋ｙ１2 ）1/2                 …（１）
で表すことができる。
【００２２】
補正の結果得ようとする補正クロマ信号を破線で示し、データＳ０の補正データをＳ０′とする。また、破線で示す補正クロマ信号のピークレベル値をＡ′とする。すると、補正データＳ０′の０レベルからの振幅ｙ０′は次のように表すことができる。
ｙ０′＝（Ａ′／Ａ）・ｙ０                    …（２）
となり、これに（１）式を代入すれば、
ｙ０′＝Ａ′／｛２（ｙ０2 ＋ｙ１2 ）1/2 ｝    …（３）
となる。
【００２３】
図９（Ａ），（Ｂ）で説明したように、あるＶＴＲでシアン及び赤の振幅レベルが８８ＩＲＥ（ｐ−ｐ）から８２ＩＲＥ（ｐ−ｐ）に減衰した場合のように、入力された映像信号におけるクロマ信号（クロマ信号処理回路３による信号処理前のクロマ信号）の振幅レベルと、記録再生したクロマ信号の振幅レベルとのレベル誤差は、予め求めることができるから、補正クロマ信号のピークレベル値Ａ′は、レベル誤差を見込んだ値としておけばよい。
即ち、クロマレベル補正回路５による補正クロマ信号の補正データＳ０′の振幅ｙ０′は、入力クロマ信号のデータＳ０，Ｓ１の振幅ｙ０，ｙ１より求めることができる。
【００２４】
Ｐ−ＲＯＭ５３に、入力クロマ信号のデータ（振幅レベル）に応じた補正データを出力するようなプログラムを格納しておけば、瞬間的なピークレベル値に対応した補正データを順次得ることができる。従って、サンプルデータ単位で細かなピークレベル値の補正を行うことができる。
即ち、図９（Ａ），（Ｂ）の場合のように、色によって、入力された映像信号におけるクロマ信号の振幅レベルと記録再生したクロマ信号の振幅レベルとのレベル誤差にばらつきあっても、それぞれの色ごとに振幅レベルを補正することができるので、クロマ信号を良好に補正することが可能となる。
【００２５】
次に、クロマレベル補正回路５の補正特性の一例を図４に示す。図４は、入力クロマ信号のピークレベル値に対する補正クロマ信号のピークレベル値を表している。前述のように、低域周波数に変換前のクロマ信号の振幅レベルと、低域周波数に変換して記録再生したクロマ信号の振幅レベルとのレベル誤差は、記録信号処理回路８の特性によって異なるから、クロマレベル補正回路５の補正特性は、それぞれの記録信号処理回路８の特性に合わせた特性とする。
【００２６】
本発明で用いるクロマレベル補正回路５は、図４に示すように、ノンリニアな特性であるので、低域周波数に変換前のクロマ信号の振幅レベルと磁気テープに記録し再生した後のクロマ信号の振幅レベルとの振幅レベルの誤差を補正するよう、クロマ信号をその振幅レベル（入力レベル）に応じて予め補償して記録することができる。
このようにして記録したクロマ信号の記録再生特性は、図５に示すように、０から８８ＩＲＥ（ｐ−ｐ）までの実用帯域でほぼリニアな特性となる。なお、これ以上の大レベル域では、ビート等の弊害が生じるため、補正値の設定に注意が必要である。
【００２７】
従って、図９（Ａ）に示すようなカラーバー信号を入力して記録すると、記録再生されるクロマ信号の振幅レベルは、図９（Ａ）に示す振幅レベルとほぼ同じレベルとすることができる。これによって、本発明では、入力された映像信号におけるクロマ信号の振幅レベルを忠実に再現することができる。
【００２８】
ところで、映画等のビデオソフトを大量にダビングする場合においては、ダビングシステム内で同様な記録信号処理回路８（輝度信号処理回路２，クロマ信号処理回路３，混合回路４）を用い、記録特性は一定であるので、クロマ信号の記録前後の振幅レベルの誤差は容易に測定することができる。従って、本発明のカラービデオ信号記録方法は、ビデオソフトのダビング工程に用いて特に有効である。本発明のカラービデオ信号記録方法を用いてダビングすれば、本来の色を良好に再現したビデオソフトを提供することができる。
勿論、家庭用ＶＴＲ等に用いても、個々の記録信号処理回路８の特性に応じて補正特性を設定すれば、全く同様の効果を得ることができる。クロマレベル補正回路５として、Ｐ−ＲＯＭ５３を用いた構成では、個々の記録信号処理回路８の特性に応じて変換特性のプログラムを変えるだけでよい。従って、本実施例の構成は、汎用性に富んでいる。
【００２９】
本実施例では、クロマ信号処理回路３の前段にクロマレベル補正回路５を設け、低域変換回路３３による低域変換前のクロマ信号を補正しているが、クロマ信号処理回路３の後段にクロマレベル補正回路５を設け、低域変換回路３３による低域変換後のクロマ信号を補正するように構成してもよい。
ただ、低域変換回路３３による低域変換前のクロマ信号を補正するようにした方が補正の精度がよく、その点で、クロマ信号処理回路３の前段にクロマレベル補正回路５を設ける方がより望ましい。
【００３０】
【発明の効果】
以上詳細に説明したように、本発明のカラービデオ信号記録方法は、低域周波数に変換前のクロマ信号の振幅レベルと磁気記録媒体に記録し再生した後のクロマ信号の振幅レベルとの振幅レベルの誤差を補正するよう、低域周波数に変換前もしくは変換後のクロマ信号を、その振幅レベルに応じて予め補償して記録するよう構成したので、入力された映像信号におけるクロマ信号の振幅レベルを忠実に再現することができる。勿論、希望する振幅レベルとなるように調整することも可能となる。
【図面の簡単な説明】
【図１】本発明を実現する構成の一実施例を示すブロック図である。
【図２】図１中のクロマレベル補正回路５の具体的構成の一例を示すブロック図である。
【図３】本発明を説明するための波形図である。
【図４】本発明を説明するための特性図である。
【図５】本発明を説明するための特性図である。
【図６】従来の記録信号処理回路を示すブロック図である。
【図７】従来の記録再生特性を示す特性図である。
【図８】従来の記録再生特性を示す特性図である。
【図９】従来の問題点を説明するための波形図である。
【符号の説明】
１  Ｙ／Ｃ分離回路
２  輝度信号処理回路
３  クロマ信号処理回路
４  混合回路
５  クロマレベル補正回路
６，７  Ｄ／Ａ変換器
８  記録信号処理回路
【図１】
0003906515.tif 000002
【図２】
0003906515.tif 000003
【図３】
0003906515.tif 000004
【図４】
0003906515.tif 000005
【図５】
0003906515.tif 000006
【図６】
0003906515.tif 000007
【図７】
0003906515.tif 000008
【図８】
0003906515.tif 000009
【図９】
0003906515.tif 000010